(57)【要約】【課題】連結ピン挿通孔内にスリーブをすき間嵌めした場合、スリーブが回転しないようにしてスリーブの摩耗を防止することができ、チェーンの使用中にスリーブが片寄ることがあっても、スリーブがスライド移動してチェーンの屈曲不良を回避することができ、インサート成形を行わずに容易に製作することができるスリーブを有するチェーンを提供すること。【解決手段】連結ピン挿通孔１８内に合成樹脂製のスリーブ１９がすき間嵌めされ、このスリーブ内に挿入された連結ピン２１により、チェーンリンクであるオフセットリンク１２が複数長手方向に連結されてオフセット形チェーン１１は形成される。連結ピン挿通孔１８に設けられた凹部１８ａとスリーブ１９に設けられた凸部１９ａとが係合することによりスリーブ１９の回転は防止される。【選択図】　　図１
2004138089.tif 000002
【特許請求の範囲】
【請求項１】
連結ピン挿通孔内に樹脂製のスリーブがすき間嵌めされ、該スリーブ内に連結ピンが回転自在に挿入され、該連結ピンの両端部がチェーンリンクの外側プレートに固定されることにより、複数のチェーンリンクが長手方向に連結されてなるスリーブを有するチェーンにおいて、
連結ピン挿通孔及びスリーブそれぞれには相互に係合する凹凸部が設けられ、該凹凸部が係合することによりスリーブの回転を防止したことを特徴とするスリーブを有するチェーン。
【請求項２】
前記チェーンリンクの内側プレートに固定されたブシュの連結ピン挿通孔に前記スリーブがすき間嵌めされていることを特徴とする請求項１記載のスリーブを有するチェーン。
【請求項３】
前記チェーンリンクの内側プレート間に設けられたローラの連結ピン挿通孔に前記スリーブがすき間嵌めされていることを特徴とする請求項１記載のスリーブを有するチェーン。
【請求項４】
前記スリーブの他方端部にスリット及び抜け止め用の突起が形成され、該突起によりスリーブの抜け出しを防止したことを特徴とする請求項１乃至３のいずれかに記載のスリーブを有するチェーン。
【発明の詳細な説明】
【０００１】
【発明の属する技術分野】
本発明は、連結ピン挿通孔内面と連結ピンとの間に摺動摩擦を抑制するスリーブが設けられたチェーン、特に連結ピン挿通孔内に隙間嵌めされたスリーブの回転が防止されるようにしたスリーブを有するチェーンに関する。
【０００２】
【従来の技術】
物品搬送用チェーン、伝動用チェーンには、オフセット形チェーン、ローラチェーン、ブシュチェーン等の種々のタイプのチェーンがあるが、連結ピンが相対的に回転可能に挿通される挿通孔は、例えば、オフセット形チェーンの場合、チェーンリンクであるオフセットリンクの内側プレート間に一体に設けられた円筒部あるいは内側プレートに固定されたブシュに備えられ、ローラチェーンの場合、チェーンリンクである内リンクを構成する内側プレートに固定されたブシュに備えられ、また、ローラチェーンの内側プレート間に設けられたローラに備えられている。
【０００３】
従来、チェーンの連結ピンと連結ピン挿通孔内面との摺動摩擦による摩耗を抑制するために、連結ピン挿通孔内に潤滑性のある樹脂製のスリーブを設け、このスリーブ内に連結ピンを挿入することが行われている。そして、この連結ピンの両端部をチェーンリンクの外側プレートに穿設されたピン孔に圧入固定することにより、複数のチェーンリンクが長手方向に連結されてチェーンが形成されている。
【０００４】
【特許文献１】
実用新案登録第２５８７１５２号公報
【特許文献２】
特公平８−５０９３号公報
【０００５】
【発明が解決しようとする課題】
連結ピン挿通孔内にスリーブを設ける手段として、連結ピン挿通孔内にスリーブをすき間嵌めしたり、しまり嵌めする手段が採用されている。しかし、オフセット形チェーン、ローラチェーン又はブシュチェーンの場合、ブシュやローラの連結ピン挿通孔内にスリーブをすき間嵌めすると、チェーンの屈曲に伴ってスリーブが回転し、この回転によりスリーブの摩耗が発生する、という問題がある。
【０００６】
また、この問題を解決するために、ブシュやローラの連結ピン挿通孔内にスリーブをしまり嵌めして回転しないようにすると、例えば、図１５に示すように、ローラチェーン１の場合、その使用中にスリーブ９が片寄ることがあり、そうすると、スリーブ９が隣接する外リンクの外側プレート５に当接し（図１５にスリーブ９の左端が外側プレート５に当接した状態を示す。）、チェーン１の屈曲不良の要因になる、という問題がある。尚、図１５において、ローラチェーン１は、内側プレート２がブシュ３で連結された内リンク４と、外側プレート５が連結ピン６で連結された外リンク７とで形成され、このブシュ３にはローラ８が回転可能に外嵌され、また、ブシュ３の連結ピン挿通孔内にスリーブ９がしまり嵌めされる。
【０００７】
上記のような問題を解決するために、図１６（図１５と同一態様部材には同一符号を付す）に示すように、内側プレート２に凹陥部２ａを形成すると共に、ブシュ３内に設けたスリーブ９の両端部にフランジ９ａを形成し、スリーブ９が回転及びスライド移動しないようにすることが提案されている（特許文献１参照）。しかし、このようにスリーブ９をブシュ３内に設け、その両端部にフランジ９ａを形成する場合、フランジ９ａが両端部に設けられている関係でインサート成形による一体成形が必要となり、その製作に手間がかかる、という問題がある。また、フランジ９ａを内側プレート２の凹陥部２ａに形成するとき、ブシュ３の端部が凹陥部２ａ及びフランジ９ａそれぞれの表面から突出しないようにするため、これらの関連構造が複雑になる、という問題がある。
【０００８】
そこで、本発明は、前述したような従来技術の問題点を解決し、連結ピン挿通孔内にスリーブをすき間嵌めした場合、スリーブが回転しないようにしてスリーブの摩耗を防止することができ、チェーンの使用中にスリーブが片寄ることがあっても、スリーブをスライド移動できるようにしてチェーンの屈曲不良を回避することができ、インサート成形を行わずに容易に製作することができるスリーブを有するチェーンを提供することを目的とする。
【０００９】
【課題を解決するための手段】
前記目的を達成するために、本発明は、上記問題点の解決手段として、連結ピン挿通孔内に合成樹脂製のスリーブを回転しないようにすき間嵌めする手段を採用したもので、請求項１に係る本発明は、連結ピン挿通孔内に樹脂製のスリーブがすき間嵌めされ、該スリーブ内に連結ピンが回転自在に挿入され、該連結ピンの両端部がチェーンリンクの外側プレートに固定されることにより、複数のチェーンリンクが長手方向に連結されてなるスリーブを有するチェーンにおいて、連結ピン挿通孔及びスリーブそれぞれには相互に係合する凹凸部が設けられ、該凹凸部が係合することによりスリーブの回転を防止したスリーブを有するチェーン、という構成としたものである。
請求項２に係る本発明は、前記スリーブを有するチェーンにおいて、前記チェーンリンクの内側プレートに固定されたブシュの連結ピン挿通孔に前記スリーブがすき間嵌めされている、という構成としたものである。
請求項３に係る本発明は、前記スリーブを有するチェーンにおいて、前記チェーンリンクの内側プレート間に設けられたローラの連結ピン挿通孔に前記スリーブがすき間嵌めされている、という構成としたものである。
請求項４に係る本発明は、前記スリーブを有するチェーンにおいて、前記スリーブの他方端部にスリット及び抜け止め用の突起が形成され、該突起によりスリーブの抜け出しを防止した、という構成としたものである。
【００１０】
【作用】
各請求項に係る本発明のスリーブを有するチェーンは、連結ピン挿通孔内に樹脂製のスリーブがすき間嵌めされ、このスリーブ内に回転自在に挿入された連結ピンにより複数のチェーンリンクが長手方向に連結されることにより、チェーンは屈曲自在となり、スリーブが片寄った場合でも、外側プレートに当接したスリーブがスライド移動し、チェーンの屈曲不良が防止される。それと共に、連結ピン挿通孔及びスリーブそれぞれには相互に係合する凹凸部が設けられ、該凹凸部が係合することによりスリーブの回転を防止したので、スリーブの摩耗が抑制される。また、スリーブがチェーンリンクの内側プレートに固定されたブシュの連結ピン挿通孔にすき間嵌めされている場合、あるいはチェーンリンクの内側プレート間に設けられたローラの連結ピン挿通孔に前記スリーブがすき間嵌めされている場合も、チェーンの屈曲不良が防止されると共に、スリーブの摩耗が抑制される。また、スリーブの他方端部にスリット及び抜け止め用の突起が形成され、この突起によりスリーブの抜け出しが防止されている場合、組立性が向上し、突起により回転トルクが緩和され、係合用凹凸部の破損が防止される。
【００１１】
【発明の実施の形態】
本発明の実施例１を図１〜図５に基づいて説明する。図１はオフセット形チェーン１１の部分斜視図、図２は同オフセット形チェーン１１の断面を示す部分斜視図、図３は同オフセット形チェーン１１を裏側からみた部分斜視図、図４はオフセットリンク１２の側面図、図５はスリーブ１９の側面図であるである。
【００１２】
スリーブを有するチェーンであるオフセット形チェーン１１は、以下詳述するように、チェーンリンクであるオフセットリンク１２が複数長手方向に金属製の連結ピン２１により連結されて形成される。
【００１３】
オフセットリンク１２は、オフセット位置である略々中央位置１５ａを境にして屈曲した内側プレート１３及び外側プレート１４が一体に形成されたオフセットプレート１５、１５と、内側プレート１３、１３間に設けられた円筒部１６とで形成され、外側プレート１４、１４間の上部にトッププレート１７が設けられ、このオフセットリンク１２はトッププレート１７と共に合成樹脂にて一体に形成されたものである。
【００１４】
オフセットリンク１５の円筒部１６には、一方端部に凹部１８ａを有する連結ピン挿通孔１８が設けられ、この連結ピン挿通孔１８内に一方端部に凸部１９ａを有する合成樹脂製のスリーブ１９がすき間嵌めされる。このスリーブ１９は、連結ピン挿通孔１８に設けられた凹部１８ａとスリーブ１９に設けられた凸部１９ａとが係合することにより回転が防止される。この場合、凹部１８ａを図１、図２に示すように、チェーンの張力が掛からない側に形成することによりオフセットリンク１２の強度低下が防止される。
【００１５】
オフセットプレート１５の少なくとも一方の外側プレート１４には、連結ピン２１の端部２１ａが圧入固定されるピン孔２０が穿設される。
【００１６】
オフセット形チェーン１１は、オフセットリンク１２の内側プレート１３の外側に、隣接するオフセットリンク１２の外側プレート１４が位置するようにして、連結ピン２１により連結されて形成される。
【００１７】
この連結ピン２１は、円筒部１６の連結ピン挿通孔１８内にすき間嵌めされた樹脂製のスリーブ１９内に回転可能に挿入されると共に、その両端部２１ａ、２１ａがオフセットリンク１２の外側プレート１４、１４のピン孔２０に圧入固定される。この場合、連結ピン挿通孔１８内にすき間嵌めされたスリーブ１９は、凹部１８ａと凸部１９ａとが係合することにより、回転が防止される。
【００１８】
上記構成からなるオフセット形チェーン１１は、次の作用効果を奏する。すなわち、外側プレート１４に固定された連結ピン２１が、隣接するオフセットリンク１２の円筒部１６の連結ピン挿通孔１８にスリーブ１９を介在させて挿入されるので、屈曲自在となる。
【００１９】
この場合、連結ピン挿通孔１８にすき間嵌めされたスリーブ１９は、凹部１８ａと凸部１９ａとが係合して回転が防止されているので、回転による摩耗が防止される。また、オフセット形チェーン１１の走行中、スリーブ１９が片寄っても外側プレート１４との当接で押し戻されるので、チェーンの屈曲不良を回避することができる。さらに、スリーブ１９の取り付け時に、面倒なインサート成形を行わないようにすることができる。
【００２０】
上記実施例１において、オフセット形チェーン１１として、物品の搬送に適したトッププレート１７を設けたものについて説明したが、トッププレート１７を設けないものとしてもよい。また、オフセットリンク１２をオフセットプレート１５の内側プレート１３、１３に円筒部１６を一体に形成されたものとして説明したが、円筒部１６に代えて、内側プレート１３に穿設したブシュ孔にブシュを圧入固定（図示略）したものとしてもよい。また、スリーブ１９は、潤滑性、耐摩耗性のある合成樹脂で形成されたプラスチック、例えば、ポリアミド、ポリアセタール、ポリエチレンテレフタレート等、部品分野で汎用されているエンジニアリングプラスチックであればよい。また、オフセットリンク１２のオフセットプレート、ブシュ等を金属製のものとしてもよい。
【００２１】
本発明の実施例２を図６、図７に基づいて説明する。この実施例２のオフセット形チェーン２２は、前記実施例１のオフセット形チェーン１１において、スリーブ１９の回転を防止する凹部と凸部とが逆に設けられているものに相当する。以下、両者で共通する部材には同一符号を付して簡略説明する。
【００２２】
オフセット形チェーン２２を構成するオフセットリンク１５の円筒部１６には、一方端部に凸部２３ａを有する連結ピン挿通孔２３が設けられ、この連結ピン挿通孔２３内に一方端部に凹部２４ａを有する合成樹脂製のスリーブ２４がすき間嵌めされる。連結ピン挿通孔２３に設けられた凸部２３ａとスリーブ２４に設けられた凹部２４ａとの係合によりスリーブ２４の回転が防止される。なお、この凹部２４ａはスリーブ２４の端部に形成されたフランジ２４ｂに設けられる。
【００２３】
このオフセット形チェーン２２は、次の作用効果を奏する。すなわち、外側プレート１４に固定された連結ピン２１が、隣接するオフセットリンク１２の円筒部１６の連結ピン挿通孔２３にスリーブ２４を介在させて挿入されるので、屈曲自在となる。この場合、連結ピン挿通孔２３にすき間嵌めされたスリーブ２４は、凸部２３ａと凹部２４ａとが係合して回転が防止されているので、回転による摩耗が防止される。また、オフセット形チェーン２２の走行中、スリーブ２４が片寄っても外側プレート１４との当接で押し戻されるので、チェーンの屈曲不良を回避することができる。さらに、スリーブ２４の取り付け時に、面倒なインサート成形を行わないようにすることができる。
【００２４】
本発明の実施例３を図８に基づいて説明する。図８にはローラチェーン３１の一部断面図を示し、スリーブを有するチェーンであるローラチェーン３１は、以下詳述するように、チェーンリンクである内リンク３４及び外リンク３７が複数長手方向に金属製の連結ピン３６により連結されて形成される。
【００２５】
内リンク３４は、内側プレート３２とこの内側プレート３２のブシュ孔３２ａに圧入固定されたブシュ３３とで構成され、このブシュ３３にはローラ３８が回転可能に外嵌される。外リンク３７は、外側プレート３５とこの外側プレート３５のピン孔３５ａに圧入固定された連結ピン３６とで構成される。
【００２６】
ブシュ３３の一方端部には凹部３３ａが形成され、このブシュ３３の連結ピン挿通孔３３ｂに、一方端部に凸部３９ａが形成された合成樹脂製のスリーブ３９がすき間嵌めされ、このスリーブ３９内に外側プレート３５に固定された連結ピン３６が回転可能に挿入される。そして、スリーブ３９は、ブシュ３３に設けられた凹部３３ａとスリーブ３９に設けられた凸部３９ａとが係合することにより回転が防止される。
【００２７】
このローラチェーン３１は、次の作用効果を奏する。すなわち、ブシュ３３の連結ピン挿通孔３３ｂにすき間嵌めされたスリーブ３９は、凹部３３ａと凸部３９ａとが係合して回転が防止されているので、回転による摩耗が防止される。また、ローラチェーン３１の走行中、スリーブ３９が片寄っても外側プレート３５との当接で押し戻されるので、チェーンの屈曲不良を回避することができる。さらに、スリーブ３９の取り付け時に、面倒なインサート成形を行わないようにすることができる。
【００２８】
上記実施例３として、ローラチェーン３１について説明したが、この種のチェーンとして、ローラを設けないブシュだけのブシュチェーンとしてもよく、この場合も上記ローラチェーン３１と同じ作用効果を奏する。また、内側プレート及び外側プレートは、合成樹脂製又は金属製としてもよくその材質は問わない。また、凹凸部は逆にそれぞれ設けられていてもよい。すなわち、ブシュ３３に凸部、スリーブ３９に凹部を形成してもよい。
【００２９】
本発明の実施例４を図９に基づいて説明する。図９にはローラチェーン（図示略）の一部であるローラ４１の斜視図を示す。このローラ４１はブシュのないローラチェーン、すなわちローラが連結ピンに直接設けられているローラチェーンに適用されたり、前記実施例３のローラチェーンに適用される。
【００３０】
ローラ４１は、チェーンリンクである内リンクの内側プレート間に連結ピンで支持されて設けられる（図示略）。ローラ４１の連結ピン挿通孔４２内に合成樹脂製のスリーブ４３がすき間嵌めされ、連結ピン挿通孔４２の一方端部に凹部４２ａが形成され、スリーブ４３の一方端部に凸部４３ａが形成される。このスリーブ４３内に外側プレートに固定された連結ピンが回転可能に挿入される（図示略）。そして、スリーブ４３は、連結ピン挿通孔４２に設けられた凹部４２ａとスリーブ４３に設けられた凸部４３ａとが係合することにより回転が防止される。
【００３１】
このローラ４１が設けられたスリーブを有するチェーン（図示略）は、凹部４２ａと凸部４３ａとが係合してスリーブ４３の回転が防止されているので、回転による摩耗が防止される。また、ローラチェーンの走行中、スリーブ４３が片寄っても内側プレートとの当接で押し戻されるので、チェーンの屈曲不良を回避することができる。さらに、スリーブ４３の取り付け時に、面倒なインサート成形を行わないようにすることができる。
【００３２】
本発明の実施例４の変形例を図１０に示す。この変形例のローラ４６は、前記ローラ４１と凹凸部が逆に設けられている点でのみ異なる。以下、両者で共通する部材には同一符号を付して簡略説明する。
【００３３】
ローラ４６の連結ピン挿通孔４７内に合成樹脂製のスリーブ４８がすき間嵌めされ、連結ピン挿通孔４７の一方端部に凸部４７ａが形成され、スリーブ４８の一方端部に凹部４８ａが形成される。このスリーブ４８内に外側プレートに固定された連結ピンが回転可能に挿入される（図示略）。そして、スリーブ４８は、連結ピン挿通孔４７に設けられた凸部４７ａとスリーブ４８に設けられた凹部４８ａとが係合することにより回転が防止される。
【００３４】
このローラ４６が設けられたスリーブを有するチェーン（図示略）は、凸部４７ａと凹部４８ａとが係合してスリーブ４８の回転が防止されているので、回転によるスリーブ４８の摩耗が防止される。また、ローラチェーンの走行中、スリーブ４８が片寄っても内側プレートとの当接で押し戻されるので、チェーンの屈曲不良を回避することができる。さらに、スリーブ４８の取り付け時に、面倒なインサート成形を行わないようにすることができる。
【００３５】
以上、各実施例について説明したが、スリーブの変形例を以下説明する。図１１に示すスリーブ５１は、連結ピン挿通孔の一方端部に形成された凹部（図示略）と係合する凸部５２が一方端部に形成されると共に、他方端部にスリット５３及び抜け止め用突起５４が形成されたものである。このスリット５３及び抜け止め用突起５４を設けることにより、チェーンの組立性を向上させることができると共に、抜け止め用突起５４によりスリーブ５１の回転トルクが緩和され、係合用凹凸部の破損を防止することができる。
【００３６】
また、図１２に示す他の変形例であるスリーブ５５は、連結ピン挿通孔の内面長手方向に形成された凹部（図示略）に係合する凸部５６が形成されたものである。このスリーブ５５は、連結ピン挿通孔に設けられた凹部（図示略）とスリーブ５５に設けられた凸部５６とが係合して回転が防止されているので、回転による摩耗が防止され、また、スリーブ５５が片寄っても外側プレートとの当接で押し戻されるので、チェーンの屈曲不良を回避することができ、スリーブ５５の取り付け時に、面倒なインサート成形を行わないようにすることができる。
【００３７】
図１３に他の変形例であるスリーブ５８の正面図を示し、このスリーブ５８は、連結ピン挿通孔の一方端部に形成された複数の凹部（図示略）と係合する複数の凸部５９、例えば４個の凸部５９が一方端部に形成されたものである。また、図１４に示す他の変形例であるスリーブ６０は、連結ピン挿通孔の一方端部の外表面に形成された非円形の凹部（図示略）と嵌合して係合する非円形の凸部６１が一方端部に形成されたものである。
【００３８】
【発明の効果】
以上説明したように、各請求項に係る本発明のスリーブを有するチェーンは、連結ピン挿通孔内に樹脂製のスリーブがすき間嵌めされ、このスリーブ内に回転自在に挿入された連結ピンにより複数のチェーンリンクが長手方向に連結されることにより、チェーンは屈曲自在となる。このスリーブを有するチェーンの使用中、スリーブが片寄った場合でも、外側プレートに当接したスリーブがスライド移動し、チェーンの屈曲不良を防止することができる。
【００３９】
それと共に、連結ピン挿通孔及びスリーブそれぞれには相互に係合する凹凸部が設けられ、この凹凸部が係合することによりスリーブの回転を防止したので、スリーブの摩耗を抑制することができる。この場合、回転防止用の凹部及び凸部は予め形成しておくことができるので、スリーブの取り付け時に、従来採用していた面倒なインサート成形を行わないようにすることができる。
【００４０】
スリーブがチェーンリンクの内側プレートに固定されたブシュの連結ピン挿通孔にすき間嵌めされている場合、あるいはチェーンリンクの内側プレート間に設けられたローラの連結ピン挿通孔に前記スリーブがすき間嵌めされている場合も、チェーンの屈曲不良を防止することができ、スリーブの摩耗を抑制することができる。また、スリーブの他方端部にスリット及び抜け止め用突起が形成されている場合は、チェーンの組立性を向上させることができると共に、抜け止め用突起によりスリーブの回転トルクが緩和され、係合用凹凸部の破損を防止することができる。
【図面の簡単な説明】
【図１】本発明の実施例１を示し、オフセット形チェーンの部分斜視図である。
【図２】同上、オフセット形チェーンの断面を示す部分斜視図である。
【図３】同上、オフセット形チェーンを裏側からみた部分斜視図である。
【図４】同上、オフセットリンクの側面図である。
【図５】同上、スリーブの側面図である。
【図６】本発明の実施例２を示し、オフセット形チェーンの部分斜視図である。
【図７】同上、オフセット形チェーンの断面を示す部分斜視図である。
【図８】本発明の実施例３を示し、ローラチェーンの断面図である。
【図９】本発明の実施例４を示し、ローラチェーンに用いられるローラの斜視図である。
【図１０】同上、変形例であるローラの斜視図である。
【図１１】本発明の変形例であるスリーブの斜視図である。
【図１２】本発明の他の変形例であるスリーブの斜視図である。
【図１３】本発明の他の変形例であるスリーブの正面図である。
【図１４】本発明の他の変形例であるスリーブの斜視図である。
【図１５】従来のローラチェーンの問題点を説明するための断面図である。
【図１６】従来の他のローラチェーンを示し、（Ａ）は内リンクの一部切欠断面図、（Ｂ）は内リンクの側面図である。
【符号の説明】
１１・・・オフセット形チェーン　　１２・・・オフセットリンク　　１３・・・内側プレート　　１４・・・外側プレート　　１５・・・オフセットプレート１５ａ・・・略々中央位置　　１６・・・円筒部　　１７・・・トッププレート　　１８・・・連結ピン挿通孔　　１８ａ・・・凹部　　１９・・・スリーブ　　１９ａ・・・凸部　　２０・・・ピン孔　　２１・・・連結ピン　　２１ａ・・・端部　　２２・・・オフセット形チェーン　　２３・・・連結ピン挿通孔　　２３ａ・・・凸部　　２４・・・スリーブ　　２４ａ・・・凹部　　２４ｂ・・・フランジ　　３１・・・ローラチェーン　　３２・・・内側プレート　３２ａ・・・ブシュ孔　　３３・・・ブシュ　　３３ａ・・・凹部　　３３ｂ・・・連結ピン挿通孔　　３４・・・内リンク　　３５・・・外側プレート　　３５ａ・・・ピン孔　　３６・・・連結ピン　　３７・・・外リンク　　３８・・・ローラ３９・・・スリーブ　　３９ａ・・・凸部　　４１・・・ローラ　　４２・・・連結ピン挿通孔　　４２ａ・・・凹部　　４３・・・スリーブ　　４３ａ・・・凸部　　４６・・・ローラ　　４７・・・連結ピン挿通孔　　４７ａ・・・凸部４８・・・スリーブ　　４８ａ・・・凹部　　５１・・・スリーブ　５２・・・凸部　　５３・・・スリット　　５４・・・抜け止め用突起　　５５・・・スリーブ　　５６・・・凸部　　５８・・・スリーブ　　５９・・・凸部　　６０・・・スリーブ　　６１・・・凸部
【図１】
2004138089.tif 000003
【図２】
2004138089.tif 000004
【図３】
2004138089.tif 000005
【図４】
2004138089.tif 000006
【図５】
2004138089.tif 000007
【図６】
2004138089.tif 000008
【図７】
2004138089.tif 000009
【図８】
2004138089.tif 000010
【図９】
2004138089.tif 000011
【図１０】
2004138089.tif 000012
【図１１】
2004138089.tif 000013
【図１２】
2004138089.tif 000014
【図１３】
2004138089.tif 000015
【図１４】
2004138089.tif 000016
【図１５】
2004138089.tif 000017
【図１６】
2004138089.tif 000018